(57)【特許請求の範囲】
【請求項１】
送信側ファクシミリ装置から送信される送信画情報を受付け、該送信画情報を受信側ゲートウェイ装置を介して受信側ファクシミリ装置に送信する送信側ゲートウェイ装置であって、
前記送信側ファクシミリ装置から、前記送信画情報の受信側ファクシミリ装置への送信要求を受付ける送信要求受付手段と、
前記送信要求受付手段が送信要求を受付けた後、前記受信側ファクシミリ装置との間に回線が確立しない場合、前記送信画情報を代行受信する代行受信手段と、
前記受信側ゲートウェイ装置に対して、前記受信側ファクシミリ装置への接続要求を所定間隔で繰り返し発行する接続要求手段と、
前記受信側ゲートウェイ装置と前記受信側ファクシミリ装置との間に回線が確立できた時点で、所定の疑似リアルタイム伝送手順を実行して、前記代行受信手段が代行受信した前記送信画情報を前記受信側ゲートウェイ装置を介して前記受信側ファクシミリ装置へ送信する送信手段と
を備えたことを特徴とする送信側ゲートウェイ装置。
【発明の詳細な説明】
【技術分野】
【０００１】
本発明は、送信側ファクシミリ装置から送信される送信画情報を受付け、該送信画情報を受信側ゲートウェイ装置を介して受信側ファクシミリ装置に送信する送信側ゲートウェイ装置に関する。
【背景技術】
【０００２】
近年、インターネット上でやりとりする電子メールを用いて、ファクシミリ画情報を通信する通信システム（以下、「メール型インターネットファクシミリ通信システム」という。）が実用されるようになってきている。このような通信システムについては、ＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）２３０１〜２３０６により、その技術内容が規定されている。
【０００３】
しかしながら、このメール型インターネットファクシミリ通信システムでは、送信側ファクシミリ装置と最終宛先ファクシミリ装置が直接通信するわけではないので、ファクシミリ装置相互間における通信能力の確認が即時的に行えず、そのために、ファクシミリ装置の種々の機能（解像度、画像処理能力など）を利用した画情報通信を行えないという事態を生じる。また、通信結果の通知も即時的に行えないので、送信側ユーザに通信結果が通知されるまで時間がかかり、再送信などの必要性が生じた場合の対処が遅れるという事態も生じる。
【０００４】
そこで、インターネットを利用したファクシミリ通信システムとして、公衆網を介してファクシミリ装置と画情報をやりとりする機能と、インターネットを介して情報をやりとりする機能を備えるリアルタイムインターネットゲートウェイファクシミリ装置を複数設け、このリアルタイムインターネットゲートウェイファクシミリ装置を２つ用い、インターネットを介してファクシミリ装置間のファクシミリ通信をリアルタイムに実現するリアルタイム型インターネットファクシミリ通信システムが提案されつつある。かかるリアルタイム型インターネットファクシミリ通信システムの提案の詳細は、ＩＴＵ−Ｔ勧告Ｔ．３８にまとまり、公表される予定である。
【０００５】
このようなリアルタイム型インターネットファクシミリ通信システムでは、送信側ファクシミリ装置は送信側リアルタイムインターネットゲートウェイファクシミリ装置へ発呼して、宛先電話番号を通知し、送信側リアルタイムインターネットゲートウェイファクシミリ装置では、受信側リアルタイムインターネットゲートウェイファクシミリ装置に対し、送信側ファクシミリ装置より通知された宛先電話番号を通知して、接続要求する。
【０００６】
受信側リアルタイムインターネットゲートウェイファクシミリ装置は、通知された宛先電話番号へ発呼し、回線が確立すると、受信側ファクシミリ装置との間で所定のグループ３ファクシミリ伝送手順を開始するとともに、所定のリアルタイム伝送手順を開始する。
【０００７】
それにより、送信側リアルタイムインターネットゲートウェイファクシミリ装置は、送信側グループ３ファクシミリ装置との間でグループ３ファクシミリ伝送手順を開始するとともに、受信側リアルタイムインターネットゲートウェイファクシミリ装置との間で所定のリアルタイム伝送手順を実行する。
【０００８】
その結果、送信側ファクシミリ装置は、送信側リアルタイムインターネットゲートウェイファクシミリ装置、インターネット、および、受信側リアルタイムインターネットゲートウェイファクシミリ装置を介し、受信側ファクシミリ装置との間でリアルタイムなファクシミリ通信が可能となり、リアルタイムに画情報を送信できる。
【０００９】
したがって、このリアルタイム型インターネットファクシミリ通信システムでは、ファクシミリ装置相互間における通信能力の確認がリアルタイムに行えるので、送信側ファクシミリ装置は、受信側ファクシミリ装置の通信能力に応じた画情報を送信できるとともに、通信結果を即時に得るので、再送動作などを迅速に行うことができる。
【特許文献１】特開２０００−３４１３４２号公報
【発明の開示】
【発明が解決しようとする課題】
【００１０】
しかしながら、このようなリアルタイム型インターネットファクシミリ通信システムには、次のような不都合がある。
【００１１】
すなわち、このリアルタイム型インターネットファクシミリ通信システムでは、公衆電話網の回線を、送信側ファクシミリ装置と受付側リアルタイムインターネットゲートウェイ装置との間、および、リモート側リアルタイムインターネットゲートウェイ装置と受信側ファクシミリ装置との間に確立する必要がある。
【００１２】
したがって、送信側ファクシミリ装置が、サービスを受けるために、受付側リアルタイムインターネットゲートウェイ装置へ発呼し、それにより、送信側ファクシミリ装置と受信側リアルタイムインターネットゲートウェイ装置との間で回線が確立したとしても、例えば、受信側ファクシミリ装置の回線がビジーであり、リモート側リアルタイムインターネットゲートウェイ装置と受信側ファクシミリ装置の間に回線が確立できない場合には、送信側ファクシミリ装置と受信側ファクシミリ装置との間のファクシミリ通信が行えず、この場合、送信側ファクシミリ装置は、再発呼する必要がある。
【００１３】
このとき、送信側ファクシミリ装置と受付側リアルタイムインターネットゲートウェイ装置との間には、回線が確立するので、送信側ファクシミリ装置には、課金が発生し、このような再発呼が頻発すると、通信料金がかさむという不具合を生じる。
【００１４】
もともと、リアルタイム型インターネットファクシミリ通信システムは、通信料金を低減できるという効果も備えているが、このような再発呼が頻発すると、この通信料金の低減効果が減殺されるという不具合を生じる。
【００１５】
本発明は、かかる実情に鑑みてなされたものであり、通信料金の上昇を低減できる送信側ゲートウェイ装置を提供することを目的としている。
【課題を解決するための手段】
【００１６】
本発明は、送信側ファクシミリ装置から送信される送信画情報を受付け、該送信画情報を受信側ゲートウェイ装置を介して受信側ファクシミリ装置に送信する送信側ゲートウェイ装置であって、前記送信側ファクシミリ装置から、前記送信画情報の受信側ファクシミリ装置への送信要求を受付ける送信要求受付手段と、前記送信要求受付手段が送信要求を受付けた後、前記受信側ファクシミリ装置との間に回線が確立しない場合、前記送信画情報を代行受信する代行受信手段と、前記受信側ゲートウェイ装置に対して、前記受信側ファクシミリ装置への接続要求を所定間隔で繰り返し発行する接続要求手段と、前記受信側ゲートウェイ装置と前記受信側ファクシミリ装置との間に回線が確立できた時点で、所定の疑似リアルタイム伝送手順を実行して、前記代行受信手段が代行受信した前記送信画情報を前記受信側ゲートウェイ装置を介して前記受信側ファクシミリ装置へ送信する送信手段とを備えたものである。
【発明の効果】
【００２０】
したがって、本発明によれば、送信側Ｇ３ＦＡＸから送信要求があり、送信側ＧＷと受信側Ｇ３ＦＡＸとの間に回線が確立しなかった場合には、送信側ＧＷは、送信側Ｇ３ＦＡＸから送信画情報を代行受信し、その後、所定間隔で受信側ＧＷに対して、受信側Ｇ３ＦＡＸへの接続要求を繰り返し発行し、受信側ＧＷと受信側Ｇ３ＦＡＸとの間に回線を確立できた時点で、疑似リアルタイム伝送手順を実行して、代行受信して蓄積した画情報を受信側Ｇ３ＦＡＸへ送信するので、無駄に回線を使用することがなく、通信料金がかさむような事態を回避することができるという効果を得る。
【００２１】
また、そのときの蓄積型処理を実行した際の通信結果を通知するレポートを作成して、送信側Ｇ３ＦＡＸへ送信しているので、送信側Ｇ３ＦＡＸのユーザは、画情報送信結果を適切に知ることができるという効果も得る。
【００２２】
また、送信側Ｇ３ＦＡＸから送信要求があり、送信側ＧＷと受信側Ｇ３ＦＡＸとの間に回線が確立しなかった場合には、受信側ＧＷは、送信側Ｇ３ＦＡＸからの送信画情報を代行受信し、その後、所定時間間隔で受信側Ｇ３ＦＡＸへ繰り返し発呼し、受信側Ｇ３ＦＡＸが着信応答した時点で、所定のＧ３ＦＡＸ手順により代行受信して蓄積した画情報を受信側Ｇ３ＦＡＸへ送信するので、無駄に回線を使用することがなく、通信料金がかさむような事態を回避することができるという効果も得る。
【発明を実施するための最良の形態】
【００２３】
以下、添付図面を参照しながら、本発明の実施の形態を詳細に説明する。
【００２４】
図１は、本発明の一実施例にかかるリアルタイム型インターネットファクシミリ通信システムの一例を示している。
【００２５】
このリアルタイム型インターネットファクシミリ通信システムは、公衆電話網ＰＳＴＮに接続されたグループ３ファクシミリ装置ＦＧ１，ＦＧ２、公衆電話網ＰＳＴＮに接続されてグループ３ファクシミリ装置ＦＧ１，ＦＧ２との間でファクシミリ通信を行う機能と、グループ３ファクシミリ端末機能と、インターネットＩＮＥＴに接続されてインターネットＩＮＥＴを介して所定のリアルタイム伝送手順を行う機能を備えたリアルタイムインターネットゲートウェイ装置ＧＷ１，ＧＷ２から構成される。
【００２６】
ここで、グループ３ファクシミリ装置ＦＧ１とリアルタイムインターネットゲートウェイ装置ＧＷ１が同一地域内に設置されるとともに、グループ３ファクシミリ装置ＦＧ２とリアルタイムインターネットゲートウェイ装置ＧＷ２が同一地域内に設置され、それらの設置地域は、相互に遠隔地域である。
【００２７】
したがって、この場合、グループ３ファクシミリ装置ＦＧ１については、リアルタイムインターネットゲートウェイ装置ＧＷ１がリアルタイム型インターネットファクシミリ通信システム通信サービスを提供し、また、グループ３ファクシミリ装置ＦＧ２については、リアルタイムインターネットゲートウェイ装置ＧＷ２がリアルタイム型インターネットファクシミリ通信システム通信サービスを提供する。
【００２８】
図２は、リアルタイムインターネットゲートウェイ装置ＧＷ（ＧＷ１，ＧＷ２）の構成例を示している。
【００２９】
同図において、システム制御部１は、このリアルタイムインターネットゲートウェイ装置の各部の制御処理、ファクシミリ伝送制御手順（ＩＴＵ−Ｔ勧告Ｔ．３０手順）処理、および、リアルタイム伝送制御手順（ＩＴＵ−Ｔ勧告Ｔ．３８手順）処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このリアルタイムインターネットゲートウェイ装置に固有な各種の情報を記憶するためのものであり、時計回路４は、現在時刻情報を出力するものである。
【００３０】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００３１】
符号化復号化部８は、画信号を符号化圧縮するとともに、符号化圧縮されている画情報を元の画信号に復号化するためのものであり、この場合には、画情報受信時のエラー検出を主目的として用いられる。また、画像蓄積装置９は、符号化圧縮された状態の画情報を多数記憶するためのものである。
【００３２】
網制御装置１０は、このリアルタイムインターネットゲートウェイ装置を公衆電話網ＰＳＴＮに接続するためのものであり、自動発着信機能を備えている。
【００３３】
グループ３ファクシミリモデム１１は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３４】
インターネット通信制御部１２は、このリアルタイムインターネットゲートウェイ装置ＧＷをインターネットＩＮＥＴへ接続し、インターネットＩＮＥＴを介して種々のデータをやりとりするためのものであり、ＴＣＰ／ＩＰパケット解析部１３は、インターネット通信制御部１２が受信したＴＣＰ／ＩＰパケットを解析して受信情報を取り出すためのものであり、グループ３プロトコル情報生成部１４は、リアルタイム伝送手順において、ＴＣＰ／ＩＰパケット解析部１３から出力される受信情報を対応するグループ３伝送手順信号情報に変換するものである。
【００３５】
グループ３プロトコル情報取出部１５は、リアルタイム伝送手順において、送信するグループ３ファクシミリ伝送手順情報を取り出すためのものであり、ＴＣＰ／ＩＰパケット変換部１６は、グループ３プロトコル情報取出部１５から出力されるグループ３ファクシミリ伝送手順情報をＴＣＰ／ＩＰパケットデータへ変換するためのものであり、その出力データは、インターネット通信制御部１２へ加えられる。
【００３６】
これらの、システム制御部１、システムメモリ２、パラメータメモリ３、時計回路４、スキャナ５、プロッタ６、操作表示部７、符号化復号化部８、画像蓄積装置９、網制御装置１０、グループ３ファクシミリモデム１１、グループ３プロトコル情報生成部１４、および、グループ３プロトコル情報取出部１５は、内部バス１７に接続されており、これらの各要素間でのデータのやりとりは、主としてこの内部バス１７を介して行われている。
【００３７】
また、網制御装置１０とグループ３ファクシミリモデム１１との間のデータのやりとりは、直接行なわれている。
【００３８】
さて、このリアルタイム型インターネットファクシミリ通信システムにおいて、例えば、グループ３ファクシミリ装置ＦＧ１からグループ３ファクシミリ装置ＦＧ２へ画情報を送信する場合（以下、図１を参照のこと）、勧告Ｔ．３８手順によるリアルタイム型通信が実行される。
【００３９】
すなわち、まず、グループ３ファクシミリ装置ＦＧ１は、リアルタイムインターネットゲートウェイ装置ＧＷ１へ発呼する（Ｓ１）。
【００４０】
これにより、リアルタイムインターネットゲートウェイ装置ＧＷ１は、着信応答し、所定のトーン信号をグループ３ファクシミリ装置ＦＧ１へ応答する（Ｓ２）。
【００４１】
グループ３ファクシミリ装置ＦＧ１は、リアルタイムインターネットゲートウェイ装置ＧＷ１からのトーン信号を検出すると、ユーザに対し、宛先ファクシミリ装置（この場合は、グループ３ファクシミリ装置ＦＧ２）の電話番号を入力要求し、それにより、ユーザは、宛先ファクシミリ装置の電話番号を操作入力する。
【００４２】
次に、グループ３ファクシミリ装置ＦＧ１は、プッシュボタン信号ＰＢにより、ユーザから操作入力された宛先電話番号をリアルタイムインターネットゲートウェイ装置ＧＷ１に送信する（Ｓ３）。
【００４３】
リアルタイムインターネットゲートウェイ装置ＧＷ１は、グループ３ファクシミリ装置ＦＧ１よりプッシュボタン信号ＰＢで宛先電話番号を受信すると、リアルタイムインターネットゲートウェイ装置ＧＷ２に対し、接続要求するとともに、宛先電話番号を通知する（Ｓ４）。
【００４４】
リアルタイムインターネットゲートウェイ装置ＧＷ１より接続要求を受けたリアルタイムインターネットゲートウェイ装置ＧＷ２は、そのときに通知された宛先電話番号へ発呼する（Ｓ５）。
【００４５】
その発呼先のグループ３ファクシミリ装置ＦＧ２は、着信検出すると、着信応答し（Ｓ６）、それにより、リアルタイムインターネットゲートウェイ装置ＧＷ２は、リアルタイムインターネットゲートウェイ装置ＧＷ１に対して、所定のリアルタイム伝送手順を開始する（Ｓ７）。
【００４６】
このようにして、公衆電話網ＰＳＴＮを介してグループ３ファクシミリ装置ＦＧ１とリアルタイムインターネットゲートウェイ装置ＧＷ１との間に通信パスが形成され、インターネットＩＮＥＴを介してリアルタイムインターネットゲートウェイ装置ＧＷ１とリアルタイムインターネットゲートウェイ装置ＧＷ２の間に通信パスが形成され、公衆電話網ＰＳＴＮを介してリアルタイムインターネットゲートウェイ装置ＧＷ２とグループ３ファクシミリ装置ＦＧ２との間に通信パスが形成されることで、グループ３ファクシミリ装置ＦＧ１とグループ３ファクシミリ装置ＦＧ２の間にリアルタイム的な通信パスが形成される。
【００４７】
そして、それ以降は、このグループ３ファクシミリ装置ＦＧ１とグループ３ファクシミリ装置ＦＧ２の間のリアルタイム的な通信パスが使用されて、グループ３ファクシミリ装置ＦＧ１からグループ３ファクシミリ装置ＦＧ２へ画情報が送信される。
【００４８】
また、このリアルタイム型インターネットファクシミリ通信システムでは、リアルタイムインターネットゲートウェイ装置ＧＷ１，ＧＷ２が、グループ３ファクシミリ装置機能を備えているので、例えば、リアルタイムインターネットゲートウェイ装置ＧＷ１からグループ３ファクシミリ装置ＦＧ２への画情報送信動作も可能となる。この場合には、インターネットＩＮＥＴを介してリアルタイムインターネットゲートウェイ装置ＧＷ１とリアルタイムインターネットゲートウェイ装置ＧＷ２の間に通信パスが形成され、公衆電話網ＰＳＴＮを介してリアルタイムインターネットゲートウェイ装置ＧＷ２とグループ３ファクシミリ装置ＦＧ２との間に通信パスが形成されることで、リアルタイムインターネットゲートウェイ装置ＧＷ１とグループ３ファクシミリ装置ＦＧ２の間にリアルタイム的な通信パスが形成される。また、リアルタイムインターネットゲートウェイ装置ＧＷ１とリアルタイムインターネットゲートウェイ装置ＧＷ２の間では、勧告Ｔ．３８手順の通信動作が実行される。ただし、この場合、リアルタイムインターネットゲートウェイ装置ＧＷ１では、プロセス的には、送信側Ｇ３ＦＡＸの動作を擬似的に実現する処理が実行され、勧告Ｔ．３８手順を適用できるようにしている。このように、送信側Ｇ３ＦＡＸの動作を擬似的に実現する処理を実行して、勧告Ｔ．３８手順を適用する処理を、「（送信側）疑似リアルタイム型処理」という。
【００４９】
また、逆に、グループ３ファクシミリ装置ＦＧ１からインターネットゲートウェイ装置ＧＷ２への画情報送信動作も可能となる。この場合には、公衆電話網ＰＳＴＮを介してグループ３ファクシミリ装置ＦＧ１とリアルタイムインターネットゲートウェイ装置ＧＷ１との間に通信パスが形成され、インターネットＩＮＥＴを介してリアルタイムインターネットゲートウェイ装置ＧＷ１とリアルタイムインターネットゲートウェイ装置ＧＷ２の間に通信パスが形成されることで、グループ３ファクシミリ装置ＦＧ１とリアルタイムインターネットゲートウェイ装置ＧＷ２の間にリアルタイム的な通信パスが形成される。また、リアルタイムインターネットゲートウェイ装置ＧＷ１とリアルタイムインターネットゲートウェイ装置ＧＷ２の間では、勧告Ｔ．３８手順の通信動作が実行される。ただし、この場合、リアルタイムインターネットゲートウェイ装置ＧＷ２では、プロセス的には、受信側Ｇ３ＦＡＸの動作を擬似的に実現する処理が実行され、勧告Ｔ．３８手順を適用できるようにしている。このように、受信側Ｇ３ＦＡＸの動作を擬似的に実現する処理を実行して、勧告Ｔ．３８手順を適用する方法を、「（受信側）疑似リアルタイム型処理」という。
【００５０】
図３は、勧告Ｔ．３８の通信手順の一例を示している。なお、同図において、送信側グループ３ファクシミリ（Ｇ３ＦＡＸ）、送信側ゲートウェイ（ＧＷ）、受信側ゲートウェイ、および、受信側グループ３ファクシミリは、それぞれ、図１のグループ３ファクシミリ装置ＦＧ１、リアルタイムインターネットゲートウェイ装置ＧＷ１、リアルタイムインターネットゲートウェイ装置ＧＷ２、および、グループ３ファクシミリ装置ＦＧ２にそれぞれ相当する。また、送信側ＧＷと受信側ＧＷとの間でやりとりされる信号が、リアルタイム伝送手順（勧告Ｔ．３８手順）にかかる信号である。
【００５１】
まず、送信側Ｇ３ＦＡＸは、送信側ＧＷへ発呼し、ユーザから指定された宛先電話番号をプッシュボタン信号ＰＢにより送出する。送信側ＧＷは、着呼検出すると、着呼応答し、次いで、送信側Ｇ３ＦＡＸよりプッシュボタン信号ＰＢによる宛先電話番号を受信する。
【００５２】
次に、送信側Ｇ３ＦＡＸは、呼接続を要求するために勧告Ｔ．３０手順のトーン信号ＣＮＧを送信側ＧＷへ送出する。これにより、送信側ＧＷは、受信側ＧＷに対し接続要求パケットを送信して、接続要求するとともに、宛先電話番号を通知する。それにより、受信側ＧＷは、指定された受信側Ｇ３ＦＡＸへ発呼し、所定のトーン信号ＣＮＧを送出して呼接続を要求する一方、接続確認パケットを送信側ＧＷへ送信して、呼接続を確認する。
【００５３】
受信側ＧＷから発呼され、呼接続が要求された受信側Ｇ３ＦＡＸは、着信応答して、所定のトーン信号ＣＥＤ（被呼局識別信号）を送出し、受信側ＧＷは、このトーン信号ＣＥＤを検出すると、信号ＣＥＤを検出した旨をあらわす信号（Ｔ３０ＩＮＤ：ＣＥＤ）を送信側ＧＷへ送信し、それにより、送信側ＧＷは、トーン信号ＣＥＤを送信側Ｇ３ＦＡＸへ送出する。
【００５４】
次いで、受信側Ｇ３ＦＡＸは、フラグ（Ｆｌａｇｓ）信号に続き、グループ３ファクシミリ伝送手順信号であり、自端末のオプション的な伝送機能を通知するための信号ＮＳＦ、自端末の識別信号を通知するための信号ＣＳＩ、および、自端末の標準的な伝送機能を通知するための信号ＤＩＳを順次送出する。受信側ＧＷは、フラグ信号を検出すると、信号（Ｔ３０ＩＮＤ：Ｆｌａｇｓ）を送信側ＧＷへ送信するとともに、信号ＮＳＦ，ＣＳＩ，ＤＩＳを順次検出すると、信号ＮＳＦ，ＣＳＩ，ＤＩＳをあらわす信号（Ｖ２１ＨＤＬＣ：ＮＳＦ／ＣＳＩ／ＤＩＳ）を、送信側ＧＷへと順次送信する。
【００５５】
それにより、送信側ＧＷは、フラグ信号を受信した時点で送信側Ｇ３ＦＡＸへフラグ信号の送出を開始し、信号（Ｖ２１ＨＤＬＣ：ＮＳＦ／ＣＳＩ／ＤＩＳ）を受信すると、それぞれ対応する信号ＮＳＦ，ＣＳＩ，ＤＩＳを送信側Ｇ３ＦＡＸへと送信する。
【００５６】
これによって、送信側Ｇ３ＦＡＸは、受信側Ｇ３ＦＡＸの識別信号および伝送機能を知るので、その通知された伝送機能に基づき、そのときに使用する伝送機能およびモデム速度などを設定する。次いで、送信側Ｇ３ＦＡＸは、フラグ信号に続き、グループ３ファクシミリ伝送手順信号であり、自端末の識別信号を通知するための信号ＴＳＩ、および、使用する伝送機能を通知するための信号ＤＣＳを順次送出し、さらに、通知したモデム速度でモデムトレーニングを行うための信号ＴＣＦを送出する。
【００５７】
それにより、送信側ＧＷは、フラグ信号を検出すると、信号（Ｔ３０ＩＮＤ：Ｆｌａｇｓ）を受信側ＧＷへ送信するとともに、信号ＴＳＩ，ＤＣＳ，ＴＣＦを順次検出すると、それらの信号ＴＳＩ，ＤＣＳをあらわす信号（Ｖ２１ＨＤＬＣ：ＴＳＩ／ＤＣＳ）を受信側ＧＷへ送信する。
【００５８】
それにより、受信側ＧＷは、フラグ信号を受信した時点で受信側Ｇ３ＦＡＸへのフラグ信号の送出を開始し、信号（Ｖ２１ＨＤＬＣ：ＴＳＩ／ＤＣＳ）を受信すると、それぞれ対応する信号ＴＳＩ，ＤＣＳ、および、信号ＴＣＦを受信側Ｇ３ＦＡＸへと送信する。
【００５９】
受信側Ｇ３ＦＡＸは、信号ＴＳＩを受信すると、相手端末（送信側Ｇ３ＦＡＸ）の識別情報を取得し、信号ＤＣＳを受信すると使用する伝送機能を取得し、それによって、モデム速度を設定し、信号ＴＣＦを受信する。
【００６０】
そして、受信側Ｇ３ＦＡＸは、信号ＴＣＦの受信結果が良好な場合には、フラグ信号に続き、グループ３ファクシミリ伝送手順信号であり、受信準備が完了した旨を通知するための信号ＣＦＲを送出する。受信側ＧＷは、フラグ信号を検出すると、信号（Ｔ３０ＩＮＤ：Ｆｌａｇｓ）を送信側ＧＷへ送信するとともに、信号ＣＦＲを検出すると、信号ＣＦＲをあらわす信号（Ｖ２１ＨＤＬＣ：ＣＦＲ）を送信側ＧＷへ送信する。
【００６１】
それにより、送信側ＧＷは、フラグ信号を受信した時点で送信側Ｇ３ＦＡＸへフラグ信号の送出を開始し、信号（Ｖ２１ＨＤＬＣ：ＣＦＲ）を受信すると、対応する信号ＣＦＲを送信側Ｇ３ＦＡＸへと送信する。
【００６２】
このようにして、画情報の送信準備が整うと、送信側Ｇ３ＦＡＸは、モデムのリトレーニングのためのトレーニング（Ｔｒａｉｎｉｎｇ）信号を送出した後に、画情報を送出し、画情報の送出を終了すると、フラグ信号に続いて、画情報送信が終了した旨を通知する信号ＥＯＰを送出する。
【００６３】
また、送信側ＧＷは、送信側Ｇ３ＦＡＸよりトレーニング信号を検出すると、信号（Ｔ３０ＩＮＤ：Ｓｐｅｅｄ）を受信側ＧＷへ送信し、続いて、送信側Ｇ３ＦＡＸより受信した画情報を複数に分割し、それぞれの分割された画情報をパケットデータとして、受信側ＧＷへ送信する。そして、送信側Ｇ３ＦＡＸよりフラグ信号を検出すると、信号（Ｔ３０ＩＮＤ：Ｆｌａｇｓ）を受信側ＧＷへ送信するとともに、信号ＥＯＰを検出すると、信号ＥＯＰをあらわす信号（Ｖ２１ＨＤＬＣ：ＥＯＰ）を受信側ＧＷへ送信する。
【００６４】
一方、受信側ＧＷは、信号（Ｔ３０ＩＮＤ：Ｓｐｅｅｄ）を受信すると、対応するトレーニング信号を受信側Ｇ３ＦＡＸへ送信し、画情報を運ぶパケットを受信すると、それに含まれている分割画情報を順次取り出し、連結した画情報を作成し、その画情報を、受信側Ｇ３ＦＡＸへ送信する。また、画報の送信を終了した後に、受信側Ｇ３ＦＡＸへのフラグ信号の送出を開始し、このときには、信号（Ｖ２１ＨＤＬＣ：ＥＯＰ）を受信するので、対応する信号ＥＯＰを受信側Ｇ３ＦＡＸへと送信する。
【００６５】
また、受信側Ｇ３ＦＡＸは、受信側ＧＷより受信したトレーニング信号でモデムのリトレーニングを行った後、画情報を受信し、次いで、フラグ信号に続いて信号ＥＯＰを受信すると、画情報の受信が終了したことを認識する。そして、受信側Ｇ３ＦＡＸは、そのときの画情報の受信結果が良好な場合には、フラグ信号に続いて、その旨を通知する信号ＭＣＦを受信側ＧＷに送信する。
【００６６】
受信側ＧＷは、フラグ信号を検出すると、信号（Ｔ３０ＩＮＤ：Ｆｌａｇｓ）を送信側ＧＷへ送信するとともに、信号ＭＣＦを検出すると、信号ＭＣＦをあらわす信号（Ｖ２１ＨＤＬＣ：ＭＣＦ）を送信側ＧＷへ送信する。
【００６７】
それにより、送信側ＧＷは、フラグ信号を受信した時点で送信側Ｇ３ＦＡＸへフラグ信号の送出を開始し、信号（Ｖ２１ＨＤＬＣ：ＭＣＦ）を受信すると、対応する信号ＭＣＦを送信側Ｇ３ＦＡＸへと送信する。
【００６８】
それにより、送信側Ｇ３ＦＡＸは、受信側Ｇ３ＦＡＸで画情報を正常に受信されたことを認識する。この後は、送信側Ｇ３ＦＡＸは、フラグ信号に続き、回線復旧を指令するための信号ＤＣＮを送信側ＧＷへ送出した後に、回線を復旧する。
【００６９】
それにより、上述と同様の手順により、信号（Ｔ３０ＩＮＤ：Ｆｌａｇｓ）、信号（Ｖ２１ＨＤＬＣ：ＤＣＮ）が送信側ＧＷから受信側ＧＷへと送信される。そして、送信側ＧＷからは、フラグ信号および信号ＤＣＮが受信側Ｇ３ＦＡＸへと順次送信され、受信側Ｇ３ＦＡＸは、信号ＤＣＮを受信すると、回線を復旧する。
【００７０】
また、送信側ＧＷは、通信パスを切断する旨を要求する切断要求パケットを受信側ＧＷへ送出し、受信側ＧＷは、切断要求パケットを受信すると、通信パスの切断を確認した旨をあらわす切断確認パケットを送信側ＧＷへ送出して、一連の通信動作を終了する。
【００７１】
これにより、送信側Ｇ３ＦＡＸと送信側ＧＷとの間の回線、および、受信側Ｇ３ＦＡＸと受信側ＧＷとの間の回線が復旧され、送信側Ｇ３ＦＡＸと受信側Ｇ３ＦＡＸの間に形成されていたリアルタイム的な通信パスが切断される。
【００７２】
このようにして、送信側Ｇ３ＦＡＸと受信側Ｇ３ＦＡＸとの間のファクシミリ伝送手順が、送信側ＧＷおよび受信側ＧＷのリアルタイム伝送手順により、リアルタイム的に実行されて、送信側Ｇ３ＦＡＸから受信側Ｇ３ＦＡＸへの画情報の送信がなされる。
【００７３】
ここで、図３における信号（Ｔ３０ＩＮＤ：「信号名」）は、ＩＴＵ−Ｔ勧告Ｔ．３０に従ったトーナル信号の検出を通知するための信号であり、信号（Ｖ２１ＨＤＬＣ：「信号名」）は、ＩＴＵ−Ｔ勧告Ｔ．３０に従ったバイナリ信号を運ぶための信号である。また、「Ｖ．２１」、ＩＴＵ−Ｔ勧告Ｖ．２１モデムにより運ばれる信号であることをあらわし、「ＨＤＬＣ」は、ＨＤＬＣフレーム化されている信号であることをあらわす。
【００７４】
そして、このような信号をやりとりすることで、送信側ＧＷと受信側ＧＷとの間で、リアルタイム伝送手順が実現される。
【００７５】
また、本実施例では、リアルタイムインターネットゲートウェイ装置ＧＷは、図４（ａ）に示すようなユーザ番号テーブルを備えている。このユーザ番号テーブルは、複数の電話番号情報からなり、おのおのの電話番号情報は、同図（ｂ）に示すように、このリアルタイム型インターネットファクシミリ通信システムを利用するそれぞれのグループ３ファクシミリ装置ＦＧのＩＤと電話番号を組にしたものである。
【００７６】
図５は、送信側Ｇ３ＦＡＸの処理の一例を示している。
【００７７】
まず、送信側ＧＷへ発呼し（処理１０７）、送信側ＧＷより所定のトーン信号を、所定時間内に検出することを監視する（判断１０２，１０３のＮＯループ）。所定時間内に送信側ＧＷより所定のトーン信号を受信できなかった場合で、判断１０３の結果がＹＥＳになるときには、このときの送信動作をエラー終了する。
【００７８】
また、所定時間内に送信側ＧＷより所定のトーン信号を受信できた場合で、判断１０２の結果がＹＥＳになるときには、ユーザに対して、ＩＤと受信側Ｇ３ＦＡＸの電話番号（宛先番号）を入力させる（処理１０４）。
【００７９】
次いで、ユーザから操作入力されたユーザ番号と宛先番号を、「（ＩＤ）＃（宛先電話番号）」なる信号形式のＰＢ信号で送出し（処理１０５）、そして、所定の伝送前手順を実行して、伝送機能やモデム速度などを設定し（処理１０６）、モデムトレーニング手順を実行して使用するモデム速度を決定し（処理１０７）、所定の画情報送信手順を実行して送信画情報を送信する（処理１０８）。
【００８０】
画情報送信を終了すると、所定の伝送後手順を実行し（処理１０９）、回線を復旧して、送信側ＧＷに対するファクシミリ通信処理を終了する。
【００８１】
図６は、送信側ＧＷの処理の一例を示す。
【００８２】
着呼検出すると（処理２０１）、所定のトーン信号を応答し（処理２０２）、所定信号形式のＰＢ信号からなるＩＤと宛先番号を受信して保存する（処理２０３）。
【００８３】
次いで、受信側ＧＷに対し、ＩＤと宛先番号を指定した状態で接続要求し（処理２０４）、受信側ＧＷから受信する情報に基づいて、受信側Ｇ３ＦＡＸがビジーであるかどうかを調べる（判断２０５）。
【００８４】
受信側Ｇ３ＦＡＸがビジーではなく、判断２０５の結果がＮＯになるときには、図３で説明したようなリアルタイム型処理（処理２０７）を開始し、所定のファクシミリ信号（例えば、ＤＩＳ）の情報を、所定時間内に受信できたかどうかを調べる（判断２０７，２０８のＮＯループ）。
【００８５】
所定のファクシミリ信号の情報を、所定時間内に受信できた場合で、判断２０７の結果がＹＥＳになるときには、処理２０６で開始したリアルタイム型処理を継続し（処理２０９）、そのリアルタイム型処理を終了すると、送信側Ｇ３ＦＡＸとの間の回線を復旧して（処理２１０）、この処理を終了する。
【００８６】
また、所定のファクシミリ信号の情報を、所定時間内に受信できなかった場合で、判断２０７の結果がＮＯになるときには、処理２０６で開始したリアルタイム型処理を中断し、蓄積型処理へ移行して（処理２１１）、この処理を終了する。
【００８７】
また、受信側Ｇ３ＦＡＸがビジーの場合で、判断２０５の結果がＹＥＳになるときには、受信側ＧＷとの接続を切断し（処理２１２）、処理２１１へ移行し、蓄積型処理を実行する。
【００８８】
図８および図９は、蓄積型処理の一例を示している。
【００８９】
まず、送信側Ｇ３ＦＡＸとの間で、所定のグループ３ファクシミリ伝送前手順を継続実行して、使用する伝送機能やモデム速度などを設定する（処理３０１）。
【００９０】
次いで、モデムトレーニング手順を実行して使用するモデム速度を決定し（処理３０２）、送信側Ｇ３ＦＡＸより画情報を受信して画像蓄積装置６に蓄積する（処理３０３）。なお、このとき、符号化複号化部５で受信画情報を復号化してエラー検出処理なども行う。
【００９１】
画情報の受信を終了すると、所定の伝送後手順を実行し（処理３０４）、回線を復旧する（処理３０５）。
【００９２】
そして、所定時間を待ち（処理３０６）、受信側ＧＷに対し、宛先番号を指定した状態で接続要求し（処理３０７）、受信側Ｇ３ＦＡＸへの回線接続ができたかどうかを調べる（判断３０８）。
【００９３】
受信側ＧＷからリアルタイム伝送手順の信号を受信した場合で、判断３０８の結果がＹＥＳになるときには、上述したような（送信側）疑似リアルタイム型処理を実行して、蓄積した受信画情報を受信側ＧＷを介して受信側Ｇ３ＦＡＸへ送信し（処理３０９）、そのときの送信結果をあらわす所定形式の通信結果レポート（図示略）を作成する（処理３１０）。
【００９４】
次いで、ユーザ番号テーブルを参照して、そのときに受信しているＩＤに対応した送信側Ｇ３ＦＡＸの電話番号を取得し（処理３１１）、その送信側Ｇ３ＦＡＸへ発呼し（処理３１２）、所定の伝送前手順を実行して使用する伝送機能やモデム速度を設定し（処理３１３）、モデムトレーニング手順を実行して使用するモデム速度を決定し（処理３１４）、そのときに送信するレポート（上述した通信結果レポートまたは後述するエラー通知レポート）画像を送信する（処理３１５）。なお、このレポート画像は、作成した通信結果レポートまたはエラー通知レポートの表示画像ファクシミリデータを作成し、その表示画像ファクシミリデータを符号化複号化部５で符号化圧縮して、送信画情報を作成する。
【００９５】
そして、レポート画像の送信を終了すると、所定の伝送後手順を実行し（処理３１６）、送信側Ｇ３ＦＡＸとの回線を復旧して（処理３１７）、この処理を終了する。
【００９６】
また、受信側ＧＷから接続不可が応答された場合で、判断３０８の結果がＮＯになるときには、そのときに再発呼が可能であるかどうかを調べる（判断３１８）。例えば、再発呼回数が設定回数に満たない場合には、判断３１８の結果がＹＥＳになる。
【００９７】
そして、判断３１８の結果がＹＥＳになるときには、処理３０６へ戻り、所定時間を待った後に、再度、受信側Ｇ３ＦＡＸへの送信動作を行う。また、判断３１８の結果がＮＯになるときには、送信元ユーザに対して、指定された送信動作ができなかった旨を通知するための所定形式のエラー通知レポート（図示略）を作成し（処理３１９）、処理３１１へ移行して、それ以降の処理を実行し、エラー通知レポートを送信元ユーザに対して送信する。
【００９８】
図９は、受信側ＧＷが実行する処理の一例を示している。
【００９９】
送信側ＧＷより接続要求され、ＩＤと宛先番号が通知されると（処理４０１）、宛先へ発呼し（処理４０２）、上述したリアルタイム型処理を実行し（処理４０３）、回線を復旧して（処理４０４）、この処理を終了する。
【０１００】
以上のように、本実施例では、送信側Ｇ３ＦＡＸから送信要求があり、送信側ＧＷと受信側Ｇ３ＦＡＸとの間に回線が確立しなかった場合には、送信側ＧＷは、送信側Ｇ３ＦＡＸから送信画情報を代行受信し、その後、所定間隔で受信側ＧＷに対して、受信側Ｇ３ＦＡＸへの接続要求を繰り返し発行し、受信側ＧＷと受信側Ｇ３ＦＡＸとの間に回線を確立できた時点で、疑似リアルタイム伝送手順を実行して、代行受信して蓄積した画情報を受信側Ｇ３ＦＡＸへ送信するので、無駄に回線を使用することがなく、通信料金がかさむような事態を回避することができる。
【０１０１】
また、そのときの蓄積型処理を実行した際の通信結果を通知するレポートを作成して、送信側Ｇ３ＦＡＸへ送信しているので、送信側Ｇ３ＦＡＸのユーザは、画情報送信結果を適切に知ることができる。
【０１０２】
ところで、上述した実施例では、受信側Ｇ３ＦＡＸが画情報受信できないとき、送信側ＧＷで送信画情報を代行受信しているが、このとき、受信側ＧＷが送信画情報を代行受信することもできる。
【０１０３】
その場合の送信側ＧＷの処理の一例を図１０に示す。
【０１０４】
着呼検出すると（処理５０１）、所定のトーン信号を応答し（処理５０２）、所定信号形式のＰＢ信号からなるＩＤと宛先番号を受信して保存する（処理５０３）。
【０１０５】
次いで、受信側ＧＷに対し、ＩＤと宛先番号を指定した状態で接続要求し（処理５０４）、図３で説明したようなリアルタイム型処理（処理５０５）を実行し、リアルタイム型処理を終了すると、送信側Ｇ３ＦＡＸとの間の回線を復旧して（処理５０６）、この処理を終了する。
【０１０６】
この場合の受信側ＧＷの処理の一例を図１１に示す。
【０１０７】
送信側ＧＷより接続要求され、ＩＤと宛先番号が通知されると（処理６０１）、宛先へ発呼し（処理６０２）、受信側Ｇ３ＦＡＸがビジーであるかどうかを調べる（判断６０３）。
【０１０８】
受信側Ｇ３ＦＡＸがビジーではなく、判断６０３の結果がＮＯになるときには、上述したリアルタイム型処理を開始し（処理６０４）、所定のファクシミリ信号（例えば、ＤＩＳ）の情報を、所定時間内に受信できたかどうかを調べる（判断６０５，６０６のＮＯループ）。
【０１０９】
所定のファクシミリ信号の情報を、所定時間内に受信できた場合で、判断６０５の結果がＹＥＳになるときには、処理６０４で開始したリアルタイム型処理を継続し（処理６０７）、そのリアルタイム型処理を終了すると、受信側Ｇ３ＦＡＸとの間の回線を復旧して（処理６０８）、この処理を終了する。
【０１１０】
また、所定のファクシミリ信号の情報を、所定時間内に受信できなかった場合で、判断６０６の結果がＮＯになるときには、処理６０４で開始したリアルタイム型処理を中断し、蓄積型処理へ移行して（処理６０９）、この処理を終了する。
【０１１１】
また、受信側Ｇ３ＦＡＸがビジーの場合で、判断６０３の結果がＹＥＳになるときには、受信側Ｇ３ＦＡＸへの発呼を終了し（処理６１０）、処理６０９へ移行し、蓄積型処理を実行する。
【０１１２】
図１２および図１３は、蓄積型処理の他の例を示している。
【０１１３】
まず、送信側ＧＷとの間で、上述した（受信側）疑似リアルタイム型処理を実行し（処理７０１）、送信側Ｇ３ＦＡＸより画情報を受信して画像蓄積装置６に蓄積する。
【０１１４】
そして、所定時間を待ち（処理７０２）、受信側Ｇ３ＦＡＸへ発呼し（処理７０３）、受信側Ｇ３ＦＡＸがビジーであるかどうかを調べる（判断７０４）。
【０１１５】
受信側Ｇ３ＦＡＸがビジーではない場合で、判断７０４の結果がＮＯになるときには、受信側Ｇ３ＦＡＸとの間で所定のＧ３ＦＡＸ伝送前手順を実行して使用する伝送機能やモデム速度を設定し（処理７０５）、モデムトレーニング手順を実行して使用するモデム速度を決定し（処理７０６）、画像蓄積装置６に蓄積した画情報を送信し（処理７０７）、画情報の送信を終了すると、所定の伝送後手順を実行し（処理７０８）、受信側Ｇ３ＦＡＸとの回線を復旧する（処理７０９）。また、そのときの送信結果をあらわす所定形式の通信結果レポート（図示略）を作成する（処理７１０）。
【０１１６】
次いで、ユーザ番号テーブルを参照して、そのときに受信しているＩＤに対応した送信側Ｇ３ＦＡＸの電話番号を取得し（処理７１１）、その送信側Ｇ３ＦＡＸへ発呼し（処理７１２）、所定の伝送前手順を実行して使用する伝送機能やモデム速度を設定し（処理７１３）、モデムトレーニング手順を実行して使用するモデム速度を決定し（処理７１４）、そのときに送信するレポート（上述した通信結果レポートまたは後述するエラー通知レポート）画像を送信する（処理７１５）。なお、このレポート画像は、作成した通信結果レポートまたはエラー通知レポートの表示画像ファクシミリデータを作成し、その表示画像ファクシミリデータを符号化複号化部５で符号化圧縮して、送信画情報を作成する。
【０１１７】
そして、レポート画像の送信を終了すると、所定の伝送後手順を実行し（処理７１６）、送信側Ｇ３ＦＡＸとの回線を復旧して（処理７１７）、この処理を終了する。
【０１１８】
また、受信側Ｇ３ＦＡＸがビジーの場合で、判断７０４の結果がＹＥＳになるときには、そのときに再発呼が可能であるかどうかを調べる（判断７１８）。例えば、再発呼回数が設定回数に満たない場合には、判断７１８の結果がＹＥＳになる。
【０１１９】
そして、判断７１８の結果がＹＥＳになるときには、処理７０２へ戻り、所定時間を待った後に、再度、受信側Ｇ３ＦＡＸへの発呼動作を行う。また、判断７１８の結果がＮＯになるときには、送信元ユーザに対して、指定された送信動作ができなかった旨を通知するための所定形式のエラー通知レポート（図示略）を作成し（処理７１９）、処理７１１へ移行して、それ以降の処理を実行し、エラー通知レポートを送信元ユーザに対して送信する。
【０１２０】
以上のように、本実施例では、送信側Ｇ３ＦＡＸから送信要求があり、送信側ＧＷと受信側Ｇ３ＦＡＸとの間に回線が確立しなかった場合には、受信側ＧＷは、送信側Ｇ３ＦＡＸからの送信画情報を代行受信し、その後、所定時間間隔で受信側Ｇ３ＦＡＸへ繰り返し発呼し、受信側Ｇ３ＦＡＸが着信応答した時点で、所定のＧ３ＦＡＸ手順により代行受信して蓄積した画情報を受信側Ｇ３ＦＡＸへ送信するので、無駄に回線を使用することがなく、通信料金がかさむような事態を回避することができる。
【図面の簡単な説明】
【０１２１】
【図１】本発明の一実施例にかかるリアルタイム型インターネットファクシミリ通信システムの一例を示したブロック図。
【図２】リアルタイムインターネットゲートウェイ装置ＧＷ（ＧＷ１，ＧＷ２）の構成例を示したブロック図。
【図３】勧告Ｔ．３８の通信手順の一例を示したタイムチャート。
【図４】ユーザ番号テーブルおよび電話番号情報の一例を示した概略図。
【図５】送信側Ｇ３ＦＡＸの処理の一例を示したフローチャート。
【図６】送信側ＧＷの処理の一例を示したフローチャート。
【図７】蓄積型処理の一例を示したフローチャート。
【図８】蓄積型処理の一例を示したフローチャート（続き）。
【図９】受信側ＧＷが実行する処理の一例を示したフローチャート。
【図１０】送信側ＧＷの処理の他の例を示したフローチャート。
【図１１】受信側ＧＷが実行する処理の他の例を示したフローチャート。
【図１２】蓄積型処理の他の例を示したフローチャート。
【図１３】蓄積型処理の他の例を示したフローチャート（続き）。
【符号の説明】
【０１２２】
ＧＷ１，ＧＷ２  リアルタイムインターネットゲートウェイ装置
ＦＧ１，ＦＧ２  グループ３ファクシミリ装置
【図１】
0004298689.tif 000002
【図２】
0004298689.tif 000003
【図３】
0004298689.tif 000004
【図４】
0004298689.tif 000005
【図５】
0004298689.tif 000006
【図６】
0004298689.tif 000007
【図７】
0004298689.tif 000008
【図８】
0004298689.tif 000009
【図９】
0004298689.tif 000010
【図１０】
0004298689.tif 000011
【図１１】
0004298689.tif 000012
【図１２】
0004298689.tif 000013
【図１３】
0004298689.tif 000014